(57)【要約】【課題】内部を仕切る耐力壁が少なく、外周部に大開口を有する建物の壁量を補い、強度のバランスを保つ。【解決手段】外周に沿ってコ字形状の耐力壁線を形成する耐力壁１Ｎ、１Ｅ、１Ｗが設けられるとともに、前記コ字形状の耐力壁線の両端部に、耐力壁４ａ、４ｂ、４ｃ、４ｄ、４ｅ、１Ｅ、１Ｗを四角柱状に組んだ柱構造３Ｅ、３Ｗが設けられているので、柱構造３Ｅ、３Ｗによって壁量を補うことができ、よって柱構造３Ｅ、３Ｗの間に広い間口の開口７ａ、７ｂを形成することができる。また、４枚の耐力壁を四角柱状に組んで中空の柱構造３Ｅ、３Ｗを形成しているため、柱構造３Ｅ、３Ｗに対し、いずれの方向に力が働いた場合にも、４枚の耐力壁に力を分散させることができ、柱構造３Ｅ、３Ｗの曲げ耐力を向上させることができる。【選択図】図１
2005273240.tif 000002
【特許請求の範囲】
【請求項１】
外周に沿ってコ字形状の耐力壁線を形成する耐力壁が設けられるとともに、前記コ字形状の耐力壁線の両端部に、耐力壁を四角柱状に組んだ柱構造が設けられていることを特徴とする建物。
【請求項２】
前記柱構造の間には垂れ壁または腰壁が設けられていることを特徴とする請求項１に記載の建物。
【請求項３】
前記柱構造を構成する耐力壁の少なくとも１つは前記コ字形状の耐力壁線を形成する耐力壁の一部であることを特徴とする請求項１または２に記載の建物。
【請求項４】
前記柱構造は前記コ字形状の耐力壁線の内側に設けられていることを特徴とする請求項３に記載の建物。
【請求項５】
前記柱構造の側部には耐力壁に沿って柱構造の幅と等しい奥行きの収納スペースが設けられていることを特徴とする請求項４に記載の建物。
【発明の詳細な説明】
【技術分野】
【０００１】
本発明は、内部を仕切る耐力壁が少なく、外周部に大開口を有する建物に関する。
【背景技術】
【０００２】
従来、工業化住宅の一つとして、例えば、桟材を矩形枠状に組み立て、この矩形枠内に必要に応じて補強桟材を縦横に組み付け、両面もしくは片面に合板等の面材を貼りつけたパネルを予め工場等で形成し、これを床、壁、屋根等の構造材として用い、施工現場でこれらのパネルを組み立てることにより住宅を構築するパネル工法が採用されている。
【０００３】
工場で組み立てられた床用・壁用・屋根用等のパネルは、トラック等で施工現場に運び込まれる。建築現場では、パネルの配設とパネル間の接合作業を行うだけで、短期間で床、壁、屋根等の住宅の基本構造を構築することができる。
【０００４】
パネル工法で構築される住宅において、例えば家屋下のガレージ等、幅広の開口が要求される場合には、水平方向に伸びる梁部と、梁部の両端から鉛直下方に伸びる柱部とからなる門型パネルが適用される。また、所定間隔をおいて１対の門型パネルを対向させ、両者の柱部を壁パネルで結合するとともに、梁部を床パネルで結合した門型パネルユニットを用いるものもある（例えば、特許文献１参照）。
【特許文献１】特許第２５６５６２６号明細書
【発明の開示】
【発明が解決しようとする課題】
【０００５】
ところで、完成した住宅に長期間居住する場合には、家族の成長や独立のために、間取りや仕様の変更を行う必要が生じる。このため、大空間の部屋をあらかじめ形成し、そこに非耐力壁の間仕切を設けることで、完成後においても容易に間取りを行うことができるようにした住宅が設計されている。
【０００６】
しかし、パネル工法でさらに大空間の部屋を形成したり、幅広の開口を形成したりする場合には、門型パネルユニットを用いる方法では不充分であった。
【０００７】
本発明の課題は、内部を仕切る耐力壁を少なくして大空間の部屋を形成できるとともに、外周部に大開口を形成できる建物を提供することである。
【課題を解決するための手段】
【０００８】
以上の課題を解決するため、請求項１に記載の発明は、図１または図２に示すように、建物であって、外周に沿ってコ字形状の耐力壁線を形成する耐力壁（外壁１Ｎ、１Ｅ、１Ｗ）が設けられるとともに、前記コ字形状の耐力壁線の両端部に、耐力壁（壁パネル４ａ、４ｂ、４ｃ、４ｄ、４ｅ及び外壁１Ｅ、１Ｗ）を四角柱状に組んだ柱構造３Ｅ、３Ｗが設けられていることを特徴とする。
【０００９】
請求項１に記載の発明によれば、外周に沿ってコ字形状の耐力壁線を形成する耐力壁（外壁１Ｎ、１Ｅ、１Ｗ）が設けられているので、コ字形状の耐力壁線の内部に大空間の部屋を形成することができるとともに、コ字形状の耐力壁線の両端部に、柱構造３Ｅ、３Ｗが設けられているので、柱構造３Ｅ、３Ｗによって壁量を補うことができ、よって柱構造３Ｅ、３Ｗの間に広い間口の開口（大開口部７ａ、７ｂ）を形成することができる。
【００１０】
また、４枚の耐力壁（壁パネル４ａ、４ｂ、４ｃ、４ｄ、４ｅ及び外壁１Ｅ、１Ｗ）を四角柱状に組んで中空の柱構造３Ｅ、３Ｗを形成しているため、柱構造３Ｅ、３Ｗに対し、いずれの方向に力が働いた場合にも、４枚の耐力壁に力を分散させることができ、柱構造３Ｅ、３Ｗの曲げ耐力を向上させることができる。
【００１１】
請求項２に記載の発明は、請求項１に記載の建物であって、前記柱構造３Ｅ、３Ｗの間には垂れ壁または腰壁（図示せず）が設けられていることを特徴とする。
【００１２】
請求項２に記載の発明によれば、柱構造３Ｅ、３Ｗの間に垂れ壁または腰壁を設けることで、垂れ壁または腰壁により柱構造間の水平力を伝達することができ、水平抵抗力を増大し、耐震性を向上させることができる。
【００１３】
請求項３に記載の発明は、請求項１または２に記載の建物において、前記柱構造３Ｅ、３Ｗを構成する耐力壁の少なくとも１つは前記コ字形状の耐力壁線を形成する耐力壁（外壁１Ｅ、１Ｗ）の一部であることを特徴とする。
【００１４】
請求項３に記載の発明によれば、柱構造３Ｅ、３Ｗを構成する耐力壁の少なくとも１つ
がコ字形状の耐力壁線を形成する耐力壁（外壁１Ｅ、１Ｗ）の一部であることで、柱構造３Ｅ、３Ｗとコ字形状の耐力壁線を形成する耐力壁（外壁１Ｅ、１Ｗ）の一部とを一体化して水平抵抗力を増大し、耐震性をさらに向上させることができる。
【００１５】
請求項４に記載の発明は、請求項３に記載の建物において、前記柱構造３Ｅ、３Ｗは前記コ字形状の耐力壁線の内側に設けられていることを特徴とする。
【００１６】
請求項４に記載の発明によれば、柱構造３Ｅ、３Ｗをコ字形状の耐力壁線の内側に設けることで、従来の建物と同様の突出部のない外観を得ることができる。
【００１７】
請求項５に記載の発明は、請求項４に記載の建物であって、前記柱構造３Ｅ、３Ｗの側部には耐力壁（外壁１Ｅ、１Ｗ）に沿って柱構造の幅と等しい奥行きの収納スペース１５ａ、１５ｃが設けられていることを特徴とする。
【００１８】
請求項５に記載の発明によれば、柱構造３Ｅ、３Ｗの側部に耐力壁（外壁１Ｅ、Ｗ）に沿って柱構造の幅と等しい奥行きの収納スペース１５ａ、１５ｃを設けることで、建物の内部において柱構造３Ｅ、３Ｗと収納スペース１５ａ、１５ｃの内側面とを連続した面とすることができ、デッドスペースを減らすことができる。
【発明の効果】
【００１９】
本発明によれば、外周に沿ってコ字形状の耐力壁線を形成する耐力壁が設けられているので、コ字形状の耐力壁線の内部に大空間の部屋を形成することができるとともに、コ字形状の耐力壁線の両端部に、耐力壁を四角柱状に組んだ柱構造が設けられているので、柱構造によって壁量を補うことができ、よって柱構造の間に広い間口の開口を形成することができる。
【００２０】
また、柱構造の間に垂れ壁または腰壁を設けることで、垂れ壁または腰壁により柱構造間の水平力を伝達することができ、水平抵抗力を増大し、耐震性を向上させることができる。
【００２１】
さらに、柱構造を構成する耐力壁の少なくとも１つがコ字形状の耐力壁線を形成する耐力壁の一部であることで、柱構造とコ字形状の耐力壁線を形成する耐力壁とを一体化して水平抵抗力を増大し、耐震性をさらに向上させることができる。
【００２２】
また、柱構造をコ字形状の耐力壁線の内側に設けることで、従来の建物と同様の突出部のない外観を得ることができるとともに、柱構造の側部に耐力壁に沿って柱構造の幅と等しい奥行きの収納を設けることで、建物の内部において柱構造と収納スペースの内側面とを連続した面とすることができ、デッドスペースを減らすことができる。
【発明を実施するための最良の形態】
【００２３】
以下、本発明の実施の形態について詳細に説明する。図１は本発明の建物を示す間取り図であり、（ａ）は１階の間取り図、（ｂ）は２階の間取り図である。また、図２は建物の壁及び屋根の構造を示す図であり、建物を西側から見た概略立面図である。
【００２４】
本発明の建物は、パネル工法により構築されている。図１に示すように、北側、東側、西側の外壁１Ｎ、１Ｅ、１Ｗは、屋根及び２階の床２４を支持する耐力壁となっており、コ字形の耐力壁線を形成している。
【００２５】
西側の外壁１Ｗには、図１（ａ）に示すように、玄関１１が設けられている。玄関１１と隣接した北西の角部には浴室１２が設けられており、浴室１２に隣接して洗面所兼トイレ１３が設けられている。１階の北東にはキッチン１４が設けられている。浴室１２、洗面所兼トイレ１３、キッチン１４の北側の外壁１Ｎには、それぞれ窓８ａ、８ｂ、８ｃが設けられている。
【００２６】
１階の南半分はリビングルーム１５となっている。リビングルーム１５はキッチン１４と一体化した大空間を形成している。リビングルーム１５の西側半分の天井は、図１（ｂ）に示すように、吹き抜け１７となっている。この吹き抜け１７の部分に、玄関１１とリビングルーム１５との間の壁５ｃに沿って、２階へ通じる階段１６が設けられている。
【００２７】
東側の外壁１Ｅには、玄関１１と対向する位置に、小開口部６ａが設けられている。小開口部６ａの北側と南側には、幅約４５ｃｍの耐力壁２ａ、耐力壁２ｂがそれぞれ設けられている。耐力壁２ａと北側の外壁１Ｎとの間には、東側の外壁１Ｅに沿って奥行き約４５ｃｍの収納スペース１４ａが設けられている。なお、耐力壁２ａ、２ｂは屋根まで連続している。
【００２８】
東側の外壁１Ｅの南端には、外壁１Ｅを構成する壁パネルと、幅約４５ｃｍの３枚の壁パネル４ａ、４ｂ、４ｃとを合わせて、角柱状に組んで形成された柱構造３Ｅが設けられている。また、西側の外壁１Ｗと南側の外壁１Ｓとの接合部には、西側及び南側の外壁１Ｗ、１Ｓを構成する壁パネルと、幅約４５ｃｍの２枚の壁パネル４ｄ、４ｅとを合わせて、角柱状に組んで形成された柱構造３Ｗが設けられている。
【００２９】
南側の外壁１Ｓの東側の端部には、外壁と垂直な幅約４５ｃｍの耐力壁２ｃが南北方向に設けられている。耐力壁２ｃの北側の端と柱構造との間には、床から天井まで届く高さの大開口部７ａが設けられている。耐力壁２ｃは屋根まで連続しており、耐力壁２ｃの南側の端と西側の柱構造３Ｗとの間には、南側の外壁１Ｓが設けられている。
【００３０】
耐力壁２ｂと、東側の柱構造３Ｅとの間には、東側の外壁１Ｅに沿って奥行き約４５ｃｍの収納スペース１５ａが設けられている。また、耐力壁２ｃと西側の柱構造３Ｗとの間にも、南側の外壁１Ｓに沿って奥行き約４５ｃｍの収納スペース１５ｂが設けられている。また、玄関１１とリビングルーム１５の間の壁と、西側の柱構造３Ｗとの間にも、西側の外壁１Ｗに沿って奥行き約４５ｃｍの収納スペース１５ｃが設けられている。
【００３１】
玄関１１と浴室１２の間の壁５ａ、洗面所兼トイレ１３の南側の壁５ｂ、及び耐力壁２ａは、１本の耐力壁線を形成している。また、玄関１１とリビングルーム１５との間の壁５ｃ、及び耐力壁２ｃは、１本の耐力壁線を形成している。これらの壁５ａ、５ｂ、５ｃは、２階の床２４を支持している。
【００３２】
２階は大空間の１つの居室となっており、図示しない間仕切壁により任意の間取りに仕切ることができる。２階では、図１（ｂ）に示すように、西側の外壁１Ｗの玄関１１の上部に、庇２１が設けられるとともに、小開口部６ｂが設けられている。
【００３３】
小開口部６ｂの北側には、１階の玄関１１と浴室１２の間の壁５ａと連続する耐力壁２ｄが設けられている。また、小開口部６ｂの南側には、１階の玄関１１とリビングルーム１５との間の壁５ｃと連続する耐力壁２ｅが設けられている。
【００３４】
２階の床２４の吹き抜け１７部分の周辺には、落下防止用の手摺壁２６が設けられている。また、収納スペースの上部には、幅約４５ｃｍの梁状床２５が２階の床２４と同じ高さに設けられている。
【００３５】
梁状床２５は、耐力壁２ｃまたは耐力壁２ｅと、西側の柱構造３Ｗとの間で水平力を伝達する。したがって、２階の床２４が受ける水平力は、耐力壁２ｃまたは耐力壁２ｅと、梁状床２５とを介して西側の柱構造３Ｗに伝達される。
【００３６】
北側の外壁１Ｎには、窓８ａ、８ｂの上部に窓８ｄが、窓８ｃの上部に窓８ｅが設けられている。また、南側の外壁１Ｓには、採光用の小窓９が形成されている。
【００３７】
耐力壁２ａ、２ｂの間にはベランダ２３が設けられている。また、耐力壁２ｃと柱構造との間には、大開口部７ｂが設けられている。なお、大開口部７ａと大開口部７ｂとの間には、庇２２が設けられるとともに、図示しない腰壁が設けられている。腰壁は、東側の柱構造３Ｅと耐力壁２ｃによって支持されている。２階の床２４の南側の端部は、東側の柱構造３Ｅと腰壁によって支持されている。
【００３８】
屋根は図２に示すように、東西に配置されたＨ鋼３１の上に、屋根パネル３２を固定し、その上から防水工３３が敷設されて形成されている。屋根は主として北側、東側、西側の３方の外壁１Ｎ、１Ｅ、１Ｓと、２つの柱構造３Ｅ、３Ｗとによって支持されている。
【００３９】
このように、北側、東側、西側の３方の外壁１Ｎ、１Ｅ、１Ｓによりコ字形の耐力壁線を形成するとともに、コ字形状の耐力壁線の両端部に、４枚の耐力壁を四角形状に組んだ柱構造３Ｅ、３Ｗを設けることで、内部に壁が少ない大空間を形成することができるとともに、柱構造３Ｅ，３Ｗ間に広い間口の大開口部７ａ、７ｂを形成することができる。
【００４０】
また、外壁１Ｅ、１Ｗ、１Ｓを構成する壁パネルと、壁パネル４ａ、４ｂ、４ｃ、４ｄ、４ｅとを四角柱状に組んで中空の柱構造３Ｅ、３Ｗを形成しているため、柱構造３Ｅ、３Ｗに対し、いずれの方向に力が働いた場合にも、４枚の壁パネルに力を分散させることができ、柱構造３Ｅ、３Ｗの曲げ耐力を向上させることができる。
【００４１】
以上の実施の形態においては、西側の柱構造３Ｗと耐力壁２ｃとの間に外壁が設けられていたが、ここに開口を設けてもよい。また、吹き抜け１７部分に床を設けてもよい。
また、壁パネル４ａ、４ｂ、４ｃ、４ｄ、４ｅや耐力壁２ａ、２ｂ、２ｃ、２ｄ、２ｅの幅や、屋根の構造等も任意に設定することができ、その他の間取りや方角についても適宜変更可能であることはもちろんである。
【図面の簡単な説明】
【００４２】
【図１】本発明の建物を示す間取り図であり、（ａ）は１階の間取り図、（ｂ）は２階の間取り図である。
【図２】本発明の建物を西側から見た概略立面図である。
【符号の説明】
【００４３】
１Ｎ、１Ｅ、１Ｗ、１Ｓ      外壁
３Ｅ、３Ｗ    柱構造
４ａ、４ｂ、４ｃ、４ｄ、４ｅ       壁パネル
７ａ、７ｂ    大開口部
１４ａ、１５ａ、１５ｂ、１５ｃ     収納スペース
【図１】
2005273240.tif 000003
【図２】
2005273240.tif 000004